(57)【要約】【課題】操作面に対する指の位置を直感的に把握でき、画像に対する操作要領が容易に判別可能となる入力装置を提供する。【解決手段】車両に搭載されて、複数の階層に分かれた画像６０を切替え可能に表示する表示部５２に対して別体で形成されており、操作面３２に対する使用者の指操作によって、画像６０を操作するための入力が行われる入力装置において、指操作時の操作面３２に対する指の操作状態を検出する検出手段３１と、検出手段３１によって検出された操作状態に対する判定が、操作面３２に接触する接触状態に対して、操作面３２に近接した近接状態にあると、表示部５２における平面的な画像６０を立体的に表示する制御部３３とを設ける。【選択図】図７
2014203177.tif 000002
【特許請求の範囲】
【請求項１】
車両に搭載されて、複数の階層に分かれた画像（６０）を切替え可能に表示する表示部（５２）に対して別体で形成されており、操作面（３２）に対する使用者の指操作によって、前記画像（６０）を操作するための入力が行われる入力装置であって、
前記指操作時の前記操作面（３２）に対する指の操作状態を検出する検出手段（３１）と、
前記検出手段（３１）によって検出された前記操作状態に対する判定が、前記操作面（３２）に接触する接触状態に対して、前記操作面（３２）に近接した近接状態にあると、前記表示部（５２）における平面的な前記画像（６０）を立体的に表示する制御部（３３）とを備えることを特徴とする入力装置。
【請求項２】
前記表示部（５２）は前記使用者の前側で前記車両の幅方向の中央部に配置されており、
前記制御部（３３）は、前記近接状態において前記立体的となる前記画像（６０）が、前記使用者側を向くように傾けて表示することを特徴とする請求項１に記載の入力装置。
【請求項３】
前記制御部（３３）は、前記近接状態において前記操作面（３２）から前記指が遠ざかるほど、前記画像（６０）の傾きが大きくなるように表示することを特徴とする請求項２に記載の入力装置。
【請求項４】
前記使用者は、前記車両の運転者および助手席者を含み、
制御部（３３）は、前記操作面（３２）に対する前記指操作が前記運転者によるものか前記助手席者によるものかを判定すると共に、
前記指操作が前記助手席者による場合は、前記画像（６０）中に助手席者によるダイレクト操作が可能となる専用の操作画像部（６４）を表示することを特徴とする請求項１〜請求項３のいずれか１つに記載の入力装置。
【請求項５】
前記制御部（３３）は、前記検出手段（３１）によって検出された前記操作状態に対する判定が、前記操作面（３２）に対して前記近接状態よりも遠ざかる非接触状態にあると、前記表示部（５２）における前記画像（６０）を前記接触状態のときと同一の平面的な前記画像（６０）とすることを特徴とする請求項１〜請求項４のいずれか１つに記載の入力装置。
【発明の詳細な説明】
【技術分野】
【０００１】
本発明は、操作者の指操作によって表示部における情報表示のための入力を行う入力装置に関するものである。
【背景技術】
【０００２】
従来の入力装置として、例えば特許文献１に示されるものが知られている。特許文献１の入力装置（操作用ユーザーインターフェイス装置）では、ユーザーがタッチ操作を行うための遠隔タッチパッド部と、遠隔タッチパッド部から受信された３次元信号に応じてマルチメディアシステムの各種モードを表示するディスプレイ部と、遠隔タッチパッド部の３次元信号に応じて、マルチメディアシステムが作動するように制御する制御部とを備えている。
【０００３】
特許文献１の入力装置では、ユーザーの指の位置が、遠隔タッチパッド部の表面から第１高さの範囲にあるときに、ディスプレイ部に指の位置（ポインタ）を表示し、ポインタの移動、およびメニューの移動による微細操作が可能となっている。
【０００４】
また、ユーザーの指の位置が、第１高さから第２高さの範囲にあるときに、ワイプパスジェスチャーによる第１モードおよび第２モードの切替え、更には、ホーム、メイン、サブ画面の移動が可能となっている。
【０００５】
更に、ユーザーの指の位置が、第２高さから第３高さの範囲にあるときに、ラジオメイン画面において、操作待機画面に切替えられるようになっている。
【先行技術文献】
【特許文献】
【０００６】
【特許文献１】特開２０１１―１１８８５７号公報
【発明の概要】
【発明が解決しようとする課題】
【０００７】
しかしながら、上記特許文献１では、現在の指の高さ位置と、これに対応可能な操作内容とが直感的には分かりづらく、ユーザーは、指の操作中において、現在、指がどの高さ位置にあり、どの画面に対してどのような操作が可能であるのかわからずに困る場合がある。
【０００８】
本発明は、上記問題点に鑑みてなされたものであって、操作面に対する指の位置を直感的に把握でき、画像に対する操作要領が容易に判別可能となる入力装置を提供することにある。
【課題を解決するための手段】
【０００９】
本発明は上記目的を達成するために、以下の技術的手段を採用する。
【００１０】
本発明では、車両に搭載されて、複数の階層に分かれた画像（６０）を切替え可能に表示する表示部（５２）に対して別体で形成されており、操作面（３２）に対する使用者の指操作によって、画像（６０）を操作するための入力が行われる入力装置であって、
指操作時の操作面（３２）に対する指の操作状態を検出する検出手段（３１、３３）と、
検出手段（３１、３３）によって検出された操作状態に対する判定が、操作面（３２）に接触する接触状態に対して、操作面（３２）に近接した近接状態にあると、表示部（５２）における平面的な画像（６０）を立体的に表示する制御部（３３）とを備えることを特徴としている。
【００１１】
この発明によれば、画像（６０）を操作するにあたって、使用者の指が近接状態にあるときは、制御部（３３）によって、本来の平面的な画像（６０）が立体的に表示される。よって、使用者は、指はまだ操作面（３２）に至っておらず、操作面（３２）をタッチして操作できる状態にはない、ということを直感的に把握することができる。また、指が近接状態に対して接触状態となると、画像（６０）は、指操作をするにあたって支障のない本来の平面的な表示となる。よって、使用者は、画像（６０）が立体的か平面的かによって操作面（３２）に対する指の近接状態、あるは接触状態を容易に把握することができるので、画像（６０）に対する操作要領が容易に判別可能となり、操作に迷うことがなくなる。
【００１２】
尚、上記各手段の括弧内の符号は、後述する実施形態記載の具体的手段との対応関係を示すものである。
【図面の簡単な説明】
【００１３】
【図１】第１実施形態のナビゲーション装置および遠隔操作デバイスの車室内での配置を説明するための説明図である。
【図２】第１実施形態の遠隔操作デバイスを示す斜視図である。
【図３】第１実施形態におけるナビゲーション装置および遠隔操作デバイスの構成を示す構成図である。
【図４】第１実施形態の遠隔操作デバイスにおいて、タッチセンサにより検出される感度値と、操作制御部により判定される操作状態との関係を説明するための図である。
【図５】第１実施形態の操作制御部に記憶されている各感度閾値、操作状態、および画面表示の関係を示すテーブルである。
【図６】第１実施形態の遠隔操作デバイスにおいて、操作制御部により実施される入力処理を示すフローチャートである。
【図７】第１実施形態の遠隔操作デバイスにおいて、タッチセンサから指までの操作距離により、指の移動と関連付けられる画像部の切替えと入力操作とを説明するための図である。
【図８】第２実施形態のナビゲーション装置および遠隔操作デバイスの車室内での配置を説明するための説明図である。
【図９】第２実施形態におけるナビゲーション装置および遠隔操作デバイスの構成を示す構成図である。
【図１０】第２実施形態の遠隔操作デバイスにおいて、操作制御部により実施される入力処理を示すフローチャートである。
【図１１】第２実施形態の遠隔操作デバイスにおいて、タッチセンサから指までの操作距離により、指の移動と関連付けられる画像部の切替えと入力操作とを説明するための図である。
【発明を実施するための形態】
【００１４】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１５】
（第１実施形態）
第１実施形態（図１〜図７）は、本発明の入力装置を、ナビゲーション装置５０を操作するための遠隔操作デバイス１００に適用したものである。遠隔操作デバイス１００は、車両に搭載され、ナビゲーション装置５０等と共に表示システム１０を構成している。
【００１６】
図１、図２に示すように、遠隔操作デバイス１００は、車両のセンターコンソールにてパームレスト３９と隣接する位置に設置され、操作者（使用者でありここでは運転者とする）の手の届き易い範囲に操作面３２を露出させている。遠隔操作デバイス１００は、タッチセンサ３１を有しており、タッチセンサ３１の表面が、操作者の指操作が行われる上記の操作面３２として形成されている。尚、図１中の「Ｆ」は操作者の指を示している。
【００１７】
また、ナビゲーション装置５０は、操作者から目視されるよう液晶ディスプレイ５２の表示画面５３を露出させ且つ表示画面５３を運転席および助手席側に向けた姿勢にて、車両のインストルメントパネルの左右方向（車両の幅方向）の中央に設置されている。表示システム１０（液晶ディスプレイ５２）は、種々の表示画像６０を表示画面５３に切替えて表示する。上記の遠隔操作デバイス１００は、ナビゲーション装置５０に対して別体で形成されており、ナビゲーション装置５０から離れた位置に設定されている。
【００１８】
以下、遠隔操作デバイス１００、およびナビゲーション装置５０の各構成について、図３を加えて詳しく説明する。
【００１９】
遠隔操作デバイス１００は、Controller Area Networkバス（以下、ＣＡＮバス）９０、および外部のバッテリ９１等と接続されている。ＣＡＮバス９０は、車両に搭載された複数の車載装置を相互に接続してなる車内通信ネットワークにおいて、各車載装置間でのデータの伝送に用いられる伝送路である。遠隔操作デバイス１００は、ＣＡＮバス９０を通じて、離れて位置するナビゲーション装置５０と通信可能となっている。
【００２０】
遠隔操作デバイス１００は、電源インターフェース２１、２２、通信制御部２３、通信インターフェース２４、タッチセンサ３１、操作面３２、および操作制御部３３等によって構成されている。各電源インターフェース２１、２２は、バッテリ９１から供給される電力を安定化して、操作制御部３３に供給する。一方の電源インターフェース２１には、バッテリ９１から常に電力が供給されている。他方の電源インターフェース２２には、車両のアクセサリ（ＡＣＣ）電源がオン状態とされたことに基づいてスイッチ９２が通電状態となることにより、バッテリ９１から電力が供給されるようになっている。
【００２１】
通信制御部２３および通信インターフェース２４は、操作制御部３３によって処理された情報をＣＡＮバス９０に出力すると共に、他の車載装置からＣＡＮバス９０に出力された情報を取得するための構成である。通信制御部２３および通信インターフェース２４は、送信用の信号線ＴＸおよび受信用の信号線ＲＸによって互いに接続されている。
【００２２】
タッチセンサ３１は、静電容量式の検出手段であって、矩形の平板状に形成されており、センサ表面に対する指による操作状態を検出する。タッチセンサ３１は、ｘ軸方向に沿って延びる電極と、ｙ軸方向に沿って延びる電極とが格子状に配列されることにより形成されている。これら電極は、操作制御部３３と接続されている。各電極は、センサ表面に近接する指の位置（図２のｘ、ｙ、ｚ座標位置）に応じて、発生される静電容量が変化するようになっており、発生される静電容量の信号（感度値）が操作制御部３３に出力されるようになっている。センサ表面は、絶縁材よりなる絶縁シートによって覆われている。
【００２３】
操作面３２は、操作者が指操作を行う平面部であり、例えば、センサ表面の絶縁シート全体にわたって指の滑りを良くする素材等が設けられることで形成されている。操作面３２上におけるｘ軸方向、ｙ軸方向、あるいはｚ軸方向の操作者の指操作により、表示画面５３に表示される表示画像６０（図７参照）に対する操作のための入力ができるように設定されている。
【００２４】
操作制御部３３は、本発明の制御部であり、各種の演算処理を行うプロセッサ、演算処理の作業領域として機能するＲＡＭ、および演算処理に用いられるプログラム等が格納されたフラッシュメモリ等によって構成されている。加えて、操作制御部３３は、各電源インターフェース２１、２２、通信制御部２３、およびタッチセンサ３１等と接続されている。
【００２５】
操作制御部３３は、所定のプログラムを実行することによってタッチセンサ３１の各電極の静電容量の信号を計測することにより、タッチセンサ３１の計測値としての感度値（Ｈｔｈ）を取得する。操作者の指が操作面３２（センサ表面）に近接すると、電極と指との間に電荷が蓄えられる。操作制御部３３は、操作面３２の面の拡がる方向における指の相対的な操作位置（以下、「相対位置」という）を示すｘ座標およびｙ座標、更には、操作面３２から指までの距離（以下、「操作距離」という）に相当するｚ座標を、感度値に基づく算出処理によって算出するようになっている。
【００２６】
具体的には、図４に示すように、例えば、ｘ軸方向に並ぶ電極に対して、ある任意の電極部の位置に対応する操作面３２上で指を接触させると感度値は大きく得られ、接触位置から離れた位置になるほど、指の接触状態がなくなっていくことから、感度値は小さくなっていく。ｙ軸方向に並ぶ電極に対しても同様である。よって、操作制御部３３は、ｘ軸およびｙ軸における電極の中で、最も大きな感度値が得られる部位（ｘ座標位置、ｙ座標位置）を、現在の指の相対位置として算出するようになっている。
【００２７】
ｚ軸方向については、指が操作面３２に近づくほど、感度値は大きくなり、逆に指が操作面３２から遠ざかるほど、感度値は小さくなる。よって、操作制御部３３は、得られる感度値の大小によって、現在の指のｚ座標位置、即ち、操作距離を算出するようになっている。
【００２８】
また、操作制御部３３は、図４、図５に示すように、得られる感度値に対して、指の操作状態（ｚ軸方向における指の操作距離）、および後述する表示画像６０への操作処置を関連付けするようになっている。操作制御部３３は、操作状態を判定するための、複数の感度閾値Ｈｔｈ１〜５を予め備えており、その感度閾値に応じて、指の操作状態を判定するようにしている。操作状態としては、指が操作面３２に接触する、あるいは実際には接触していないがほとんど接触に近い「接触状態」と、指が操作面３２に対して近接している「近接状態」と、指が「近接状態」よりも操作面３２から更に遠ざかっている「非接触状態」とに区分けされている。尚、「接触状態」については、指が操作面３２に実質的に接触する場合のみの操作状態とするようにしても良い。
【００２９】
例えば、操作制御部３３は、感度閾値として、Ｈｈｔ１＝ｃｏｕｎｔ２００、Ｈｈｔ２＝ｃｏｕｎｔ１７５、Ｈｈｔ３＝ｃｏｕｎｔ１５０、Ｈｈｔ４＝ｃｏｕｎｔ１２５、Ｈｈｔ５＝ｃｏｕｎｔ１００を備えている。そして、感度値がＨｔｈ１（２００）以上であると指は操作面３２に対して「接触状態」であると判定する。また、感度値がＨｔｈ１〜Ｈｔｈ５（２００〜１０１）の間にあると指は操作面３２に対して「近接状態」であると判定する。また、感度値がＨｔｈ５（１００）以下であると指は操作面３２に対して「非接触状態」であると判定する。以下、「接触状態」を「接触中」、「近接状態」を「近接中」、「非接触状態」を「非接触」と呼ぶことにする。
【００３０】
また、操作制御部３３は、「近接状態」については、感度値がＨｔｈ２（１７５）以上で「近接１」、感度値がＨｔｈ３（１５０）以上で「近接２」、感度値がＨｔｈ４（１２５）以上で「近接３」として、「近接状態」を更に複数の「近接１〜３の状態」に分割して判定するようにしている。
【００３１】
尚、各感度閾値Ｈｔｈ１〜Ｈｔｈ５近傍で指が微妙に上下移動すると、操作制御部３３による操作状態の判定結果に反転繰返し（ハンチング）が発生してしまう。よって、各感度閾値Ｈｔｈ１〜Ｈｔｈ５の上側（操作面３２に近い側）には、所定距離だけ離れた位置に対応する上側閾値Ｈｔｈ１Ｕ〜Ｈｔｈ５Ｕがそれぞれ設定されている。また、各感度閾値Ｈｔｈ１〜Ｈｔｈ５の下側（操作面３２に遠い側）には、所定距離だけ離れた位置に対応する下側閾値Ｈｔｈ１Ｄ〜Ｈｔｈ５Ｄがそれぞれ設定されている。指が各感度閾値Ｈｔｈ１〜Ｈｔｈ５の下側（遠い側）から上側（近い側）に向けて移動される際には、各上側閾値Ｈｔｈ１Ｕ〜Ｈｔｈ５Ｕが、操作状態を判定する際の感度閾値となる。逆に、指が各感度閾値Ｈｔｈ１〜Ｈｔｈ５の上側（近い側）から下側（遠い側）に向けて移動される際には、各下側閾値Ｈｔｈ１Ｄ〜Ｈｔｈ５Ｄが、操作状態を判定する際の感度閾値となる。
【００３２】
更に、操作制御部３３は、操作者が操作面３２を指で軽く押さえたときの押圧操作（タッチ操作）を検知する。そして操作制御部３３は、指のスライド操作に伴う指の位置を示すｘ、ｙ、ｚ座標、および押圧操作の有無を、通信制御部２３および通信インターフェース２４を通じて、ＣＡＮバス９０に出力する。
【００３３】
ナビゲーション装置５０は、地図上における現在の位置表示や目的地案内等を行うナビゲーション機能に加えて、車両用空調装置に対する空調作動設定機能、車両用オーディオに対するオーディオ作動設定機能、およびインターネットによる各種情報検索閲覧機能等を備えている。ナビゲーション装置５０は、遠隔操作デバイス１００等と通信可能なようにＣＡＮバス９０と接続されており、表示制御部５１および液晶ディスプレイ５２を有している。
【００３４】
ナビゲーション装置５０における上記の各種機能については、後述する液晶ディスプレイ５２の表示画像６０中のメニュー項目６１において、「Ｃｌｉｍａｔｅ（エアコン操作）」、「Ｍａｐ（地図表示）」、「Ｄｅｓｔｉｎａｔｉｏｎ（目的地設定）」、「Ｍｅｄｉａ（オーディオ操作）」、「Ｎｅｔｗｏｒｋ（インターネット操作）」等のように表示されるようになっている（図７）。
【００３５】
表示制御部５１は、各種の演算処理を行うプロセッサ、演算処理の作業領域として機能するＲＡＭ、画像の描画処理を行うグラフィックプロセッサ、描画処理の作業領域として機能するグラフィックＲＡＭ等によって構成されている。加えて表示制御部５１は、演算処理および描画処理に用いられるデータを格納するフラッシュメモリ、ＣＡＮバス９０と接続される通信インターフェース、および描画した画像データを液晶ディスプレイ５２に出力する映像出力インターフェースを有している。表示制御部５１は、ＣＡＮバス９０から取得する情報に基づいて、表示画面５３に表示する表示画像６０を描画する。そして表示制御部５１は、描画した表示画像６０の画像データを、映像出力インターフェースを通じて液晶ディスプレイ５２に逐次出力する。
【００３６】
液晶ディスプレイ５２は、表示画面５３に配列された複数の画素を制御することにより、カラー表示を実現するドットマトリクス方式の表示部である。液晶ディスプレイ５２は、表示制御部５１から逐次取得する画像データを表示画面５３に連続的に形成することにより、映像を表示する。
【００３７】
表示画面５３に表示される表示画像６０は、本発明の画像に対応するものであり、複数の階層に分かれた画像から構成されている。例えば、複数の階層の画像のうち、第１階層（所定階層）の画像は、ナビゲーション装置５０の各種機能（ナビゲーション、エアコン、オーディオ、インターネット等）を使用するための複数のメイン画像となっている。例えば、図７では、１つのメイン画像として、エアコン用のメイン画像を示している。
【００３８】
表示画像６０の上側には、複数のメイン画像の種類（名称）をメニュー項目として、これらメニュー項目が左右方向に並ぶように形成されたメニュー６１が設けられている。メニュー６１は、表示画像６０がどの階層の画像に切替えられても、常に同一の形で表示されるようになっている。操作者は、所望するメニュー６１のうちの１つを操作面３２上で指操作により選択すると、表示画面５３には、選択されたメイン画像が表示されるようになっている。あるいは、操作者は、任意のメイン画像が表示されているときに、メニュー６１を操作することなく、操作面３２上で指をスライド操作することで、メイン画像を順次スクロールすることができ、所望のメイン画像にすることができるようになっている。
【００３９】
各メイン画像には、画像を操作するための複数のアイコン６２が設けられている。図７の例では、エアコン操作における風量設定アイコン、温度設定アイコン、デュアル設定アイコン、吹出しモード設定アイコン等を示している。操作者は、操作面３２上で指をスライド操作することによって所望のアイコン６２を選択すると、そのアイコン６２が選択されたことを示す枠状のフォーカス６３が表示されるようになっている。更に、選択されたアイコン６２の位置に対応するように操作面３２上で指を軽く押さえてやると（タッチ操作すると）、そのアイコン６２が決定状態となり、第２階層の画像、つまり決定されたアイコンに対応する操作用の画像に移行し、順次、各種機能が使用できるようになっている。
【００４０】
次に、操作制御部３３によるタッチセンサ３１からの入力処理の詳細を図６、図７に基づいて説明する。
【００４１】
図６において、まず、ステップＳ１００では、タッチセンサ３１の各電極にて検出される感度値を取得する取得処理を実施し、ステップＳ１１０に進む。ステップＳ１１０では、ステップＳ１００にて取得される感度値から、操作面３２に対する指の相対位置を示すｘ座標、ｙ座標、および操作距離を示すｚ座標の計算処理を実施する。そして、操作距離を示すｚ座標の計算値から、指の操作状態が、接触中、近接中、あるいは非接触のいずれにあるかを算出する。
【００４２】
具体的には、タッチセンサ３１によって検出される感度値がＨｔｈ１（Ｈｔｈ１Ｕ）よりも大きいときは接触中、また、感度値がＨｔｈ５（Ｈｔｈ５Ｕ）〜Ｈｔｈ１（Ｈｔｈ１Ｄ）の間にあるときは近接中、更に、感度値がＨｔｈ５（Ｈｔｈ５Ｄ）よりも小さいときは非接触と算出する。
【００４３】
そして、ステップＳ１２０で、算出された指の操作状態は接触中ではなく、且つ感度値がＨｔｈ１以上（実際には上側閾値Ｈｔｈ１Ｕ以上）あるか否かを判定する。ここで肯定判定すると、操作者の指は非接触あるいは近接中の状態から操作面３２に近づき、操作面３２に対して接触した状態にあることになり、ステップＳ１３０で、指の操作状態を接触中に更新する。
【００４４】
そして、ステップＳ１４０で、表示画面５３を接触中画面に更新する。接触中画面とは、図７（右側の枠内）に示すように、表示画像６０が表示画面５３上で本来の平面的な（傾きのない）画像として表示される画面である。フォーカス６３は、表示されるメイン画像に対応する機器の現時点での作動状態（作動設定状態）を示す。
【００４５】
接触中画面においては、操作者は、指操作（スライド、タッチ操作等）によって、本来の画面操作、つまり各メニュー６１、および各種アイコン６２の選択、および決定等が可能となる。このとき、操作者は、表示画像６０が本来の平面的な画像であることから、指の操作状態が接触中にあり、各メニュー６１、および各種アイコン６２に対する指操作が可能であることを直感的に知ることができる。
【００４６】
次に、ステップＳ１２０で、否と判定すると、ステップＳ１５０で、１つ目の条件として操作状態は非接触であり、且つ感度値がＨｔｈ５以上（実際には上側閾値Ｈｔｈ５Ｕ以上）あるか、または２つ目の条件として操作状態は接触中であり、且つ感度値がＨｔｈ１以下（実際には下側閾値Ｈｔｈ１Ｄ以下）であるか、のいずれかであるか否かを判定する。ここで肯定判定すると、操作者の指は非接触から操作面３２に近づく、あるいは接触中から操作面３２に対して多少離れる状態にあることになり、ステップＳ１６０で、指の操作状態を近接中に更新する。
【００４７】
そして、ステップＳ１７０で、感度値がＨｔｈ２以上（実際には下側閾値Ｈｔｈ２Ｄ以上）あるかを判定する。ここで肯定判定すると、指の操作状態は、近接中にあって操作面３２に対してより近い状態（近接１）にあり、ステップＳ１８０で、表示画面５３を近接１画面に更新する。近接１画面とは、図７（真ん中の枠内の右側）に示すように、表示画像６０が、接触中における本来の平面的な画像に対して、立体的な画像として表示される画面である。立体的な画像は、例えば、本来の画像の部分が浮いた状態となって、浮いている画像の下側に影に相当する部分が形成された画像となっている。更に、近接１画面においては、車両の幅方向のほぼ中央に位置する液晶ディスプレイと、操作者（この場合は右側の運転者）との位置関係から、表示画像６０は表示画面５３に対して操作者側に向くようにある程度、右側に傾いた形となって表示されるようになっている。尚、近接１画面においては、表示画像６０中のフォーカス６３は表示されない。
【００４８】
また、上記ステップＳ１７０で、否定判定すると、ステップＳ１９０で、感度値がＨｔｈ３以上（実際には下側閾値Ｈｔｈ３Ｄ以上）あるかを判定する。ここで肯定判定すると、指の操作状態は、近接中にあって操作面３２に対して多少離れた状態（近接２）にあり、ステップＳ２００で、表示画面５３を近接２画面に更新する。近接２画面とは、表示画像６０が、接触中における本来の平面的な画像に対して、上記の近接１画面で説明したように、立体的な画像として表示される画面である。更に、近接２画面においては、表示画像６０の操作者側に向く傾きが、近接１画面における画像よりも更に、右側に傾いた形となって表示されるようになっている。尚、近接２画面においては、近接１画面と同様に、表示画像６０中のフォーカス６３は表示されない。
【００４９】
また、上記ステップＳ１９０で、否定判定すると、ステップＳ２１０で、感度値がＨｔｈ４以上（実際には下側閾値Ｈｔｈ４Ｄ以上）あるかを判定する。ここで肯定判定すると、指の操作状態は、近接中にあって操作面３２からかなり離れた状態（近接３）にあり、ステップＳ２２０で、表示画面５３を近接３画面に更新する。近接３画面とは、図７（真ん中の枠内の左側）に示すように、表示画像６０が、接触中における本来の平面的な画像に対して、上記の近接１画面で説明したように、立体的な画像として表示される画面である。更に、近接３画面においては、表示画像６０の操作者側に向く傾きが、近接２画面における画像よりも更に、右側に傾いた形となって表示されるようになっている。尚、近接３画面においては、近接１画面と同様に、表示画像６０中のフォーカス６３は表示されない。また、ステップＳ２１０で否と判定すると、このフローを終了する。
【００５０】
上記の近接１画面、近接２画面、および近接３画面においては、操作者は、近接中における指操作（フリック等のジェスチャ）によって、メニュー６１によるメイン画像の切替えが可能となる。このとき、操作者は、立体的に表示された表示画像６０から指の位置が近接中（近接１〜近接３）にあることを直感的に知ることができる。併せて、操作者は、表示画像６０の傾きがより小さいほど、指は操作面３２に近い位置（近接１側）にあり、逆に傾きがより大きいほど、指は操作面３２から離れた位置（近接３側）にあることを直感的に知ることができる。
【００５１】
次に、ステップＳ１５０で、否と判定すると、ステップＳ２３０で、操作状態は非接触ではなく、且つ感度値がＨｔｈ５以下（実際には下側閾値Ｈｔｈ５Ｄ以下）であるか否かを判定する。ここで肯定判定すると、操作者の指は接触中あるいは近接中の状態から操作面３２に対して大きく離れる状態にあることになり、ステップＳ２４０で、指の操作状態を非接触に更新する。尚、ステップＳ２３０で否と判定すると、このフローを終了する。
【００５２】
そして、ステップＳ２５０で、表示画面５３を非接触画面に更新する。非接触画面とは、図７（左側の枠内）に示すように、接触中画面と同様に、表示画像６０が本来の平面的な（傾きのない）画像として表示される画面である。非接触画面には、メニュー６１、各種アイコン６２、およびフォーカス６３が表示される。非接触画面は、表示されるメイン画像に対応する機器の現時点での作動状態（作動設定状態）を示す。
【００５３】
非接触画面においては、操作者の指は操作面３２から明らかに離れた状態にあり、操作者には表示画像６０を操作する意志は無く、操作者は表示画像６０を、単純に現在の機器の作動状態を確認するための確認用画面として見ることができる。
【００５４】
以上のように、本実施形態では、表示画像６０を操作するにあたって、操作者の指が近接状態にあるときは、操作制御部３３によって、本来の平面的な表示画像６０が立体的に表示される。よって、操作者は、指はまだ操作面３２に至っておらず、操作面３２をタッチして操作できる状態にはない、ということを直感的に把握することができる。また、指が近接状態に対して接触状態となると、表示画像６０は、指操作をするにあたって支障のない本来の平面的な表示となる。よって、操作者は、表示画像６０が立体的か平面的かによって操作面３２に対する指の近接状態、あるは接触状態を容易に把握することができるので、表示画像６０に対する操作要領が容易に判別可能となり、操作に迷うことがなくなる。
【００５５】
また、操作制御部３３は、近接状態において立体的となる表示画像６０が、操作者（運転者）側を向くように傾けて表示すると共に、操作面３２から指が遠ざかるほど、表示画像６０の傾きが大きくなるように表示するようにしている。これにより、操作者は、近接状態にある指の位置について、表示画像６０の傾きによって、操作面３２からの指の距離が大きいのか小さいのかを、より明確に把握することが可能となる。
【００５６】
また、操作制御部３３は、検出される操作状態が、操作面３２に対して近接状態よりも遠ざかる非接触状態にあると、液晶ディスプレイ５２に表示される表示画像６０を接触状態のときと同一の平面的な画像にするようにしている。操作状態が非接触状態にあるということは、操作者が実質的に指操作を行っていない場合であり、このようなときは、表示画像６０が本来の平面的な画像にされることで、操作者は何ら支障なく表示画像６０を見ることができる。
【００５７】
（第２実施形態）
第２実施形態の遠隔操作デバイス１００Ａを図８〜図１１に示す。第２実施形態は、操作者として、運転席における運転者、および助手席における助手席者を対象とした表示画像６０の入力処理を行うものとなっている。
【００５８】
図８、図９に示すように、遠隔操作デバイス１００Ａには、近接センサ３４ａ、３４ｂが設けられている。近接センサ３４ａは、例えば、操作面３２の右側に配置されて、運転者の指が操作面３２に対して右側から近接することを検知するセンサであり、検知した信号を操作制御部３３に出力するようになっている。また、近接センサ３４ｂは、例えば、操作面３２の左側に配置されて、助手席者の指が操作面３２に対して左側から近接することを検知するセンサであり、検知した信号を操作制御部３３に出力するようになっている。よって、操作制御部３３は、近接センサ３４ａ、あるいは近接センサ３４ｂからの信号に基づいて、操作面３２の操作者が運転者か、助手席者かを判定できるようになっている。
【００５９】
操作制御部３３が行う入力処理のフローチャートは、図１０に示すように、上記第１実施形態で説明したフローチャート（図６）に対して、操作者が運転者か助手席者かのいずれかを判定して、判定結果に応じた画面表示の設定を行うためのステップＳ５０、Ｓ５１、Ｓ５２が追加されたものとなっている。
【００６０】
操作制御部３３は、ステップＳ５０で、近接センサ３４ａ、３４ｂの出力信号から、操作者は、運転者か助手席者かを判定する。尚、図１０中の「Ｄ席」は運転席（Ｄｒｉｖｅｒ  ｓｅａｔ）を意味し、また、「Ｐ席」は助手席（Ｐａｓｓｅｎｇｅｒ  ｓｅａｔ）を意味している。
【００６１】
そして、ステップＳ５０で、操作者は、運転者であると判定すると、操作制御部３３は、ステップＳ５１で、運転者用の画面表示設定を行う。運転者用の画面表示設定とは、まず、表示画像６０として、各メニュー６１、および各種アイコン６２を備える基本形態とする設定となっている。そして、運転者の指の操作状態が近接中であると、図１１（右側の枠内）に示すように、ステップＳ１８０、Ｓ２００、Ｓ２２０において、立体的に表示される表示画像６０が、実際に指操作している運手者に向けて傾く画像とする設定となっている。尚、上記第１実施形態で説明したように、近接中において運転者の指が操作面３２に近いほど立体的画像の傾きは小さく、指が操作面３２から遠ざかるほど立体的画像の傾きが大きく表示される。運転者は、近接中においては、指操作（フリック等のジェスチャ）によって、表示画像６０中のメニュー６１によるメイン画像の切替えが可能となる。
【００６２】
このとき、運転者は、立体的に表示された表示画像６０の傾き方向が自身を向く方向となることから、現在の表示画像６０が運転者自身の入力に基づくものであることを直感的に知ることができる。併せて、第１実施形態と同様に、立体的に表示された表示画像６０の傾きがより小さいほど、指は操作面３２に近い位置（近接１側）にあり、逆に傾きがより大きいほど、指は操作面３２から離れた位置（近接３側）にあることを直感的に知ることができる。
【００６３】
尚、運転者の指の操作状態が接触中であると、操作制御部３３は、ステップＳ１４０において、表示画像６０としては、本来の平面的な（傾きのない）画像とする。接触中においては、運転者は、指をスライド、あるいはタッチすることで、本来の画面操作、つまり各メニュー６１、および各種アイコン６２の選択および決定等が可能となる。
【００６４】
一方、ステップＳ５０で、操作者は、助手席者であると判定すると、操作制御部３３は、ステップＳ５２で、助手席者用の画面表示設定を行う。助手席者用の画面表示設定とは、まず、表示画像６０として、上記の運転者用の基本画像に対して、助手席者のダイレクト操作が可能となる専用のコンテンツ６４が設けられた画像とする設定となっている。そして、助手席者の指の操作状態が近接中であると、図１１（左側の枠内）に示すように、ステップＳ１８０、Ｓ２００、Ｓ２２０において、立体的に表示される表示画像６０が、実際に指操作している助手席者に向けて傾く画像とする設定となっている。尚、助手席者の指が操作面３２に近いほど立体的画像の傾きは小さく、指が操作面３２から遠ざかるほど立体的画像の傾きが大きく表示される。助手席者は、近接中においては、指操作（フリック等のジェスチャ）によって、表示画像６０中のメニュー６１によるメイン画像の切替えが可能となる。
【００６５】
上記の助手席者用の専用のコンテンツ６４は、本発明の操作画像部に対応するものであり、例えば、エアコン用のメイン画像において、助手席側の温度を単独で設定可能とする助手席側温度設定用のアイコンとなっている。コンテンツ６４には、例えば、現状の設定温度値に対する上側温度の設定部、温度上昇設定部、最大温度設定部、現状の設定温度に対する下側温度の設定部、温度低下設定部、最小温度設定部等の操作部が設けられたものとなっている。
【００６６】
このとき、助手席者は、立体的に表示された表示画像６０の傾き方向が自身を向く方向となることから、現在の表示画像６０が助手席者自身の入力に基づくものであることを直感的に知ることができる。併せて、第１実施形態と同様に、立体的に表示された表示画像６０の傾きがより小さいほど、指は操作面３２に近い位置（近接１側）にあり、逆に傾きがより大きいほど、指は操作面３２から離れた位置（近接３側）にあることを直感的に知ることができる。
【００６７】
尚、助手席者の指の操作状態が接触中であると、操作制御部３３は、ステップＳ１４０において、表示画像６０としては、本来の平面的な（傾きのない）画像とする。接触中においては、助手席者は、指をスライド、あるいはタッチすることで、本来の画面操作、つまり各メニュー６１、各種アイコン６２、更にはコンテンツ６４の選択および決定等が可能となる。
【００６８】
以上のように、本実施形態においては、操作者の対象を運転者と助手席者としており、操作面３２に対する指操作が行われ、このときの操作状態が近接中であると、立体的となる表示画像６０が実際に指操作を行った操作者に向けて傾いて表示されるようにしている。よって、操作者は、現在の表示画像６０が、操作者自身の入力に基づくものであることが直感的に分かり、運転者あるいは助手席者のいずれの操作者が操作しているのか迷うことがなく、操作性を向上させることができる。
【００６９】
また、助手席者が指操作した場合には、表示画像６０中に助手席者によるダイレクト操作が可能となる専用のコンテンツ６４を表示するようにしている。これにより、助手席者の操作性を向上させることができる。
【００７０】
（その他の実施形態）
上記の各実施形態では、指の操作状態として、近接状態において、近接１、近接２、近接３という、３つの区分を設けたが、これに限定されることなく、１つの近接、あるいは２つの近接、あるいは４つ以上の近接等、適宜設定するようにしても良い。
【００７１】
また、上記第１実施形態では、指の操作状態が近接中のときに、表示画像６０を立体的に表示するにあたって、操作者側を向くように傾けて表示するようにしたが、これに限らず、傾きを持たすことなく本来の矩形形状のままの画像としても良い。
【００７２】
この場合、近接１、近接２、および近接３に対する区分けとしては、例えば、立体的な表示画像６０の本来の画像部分と影となる部分との距離を変えることで対応可能である。つまり、近接１のときは、本来の画像部分と影となる部分との距離を小さくし（所定値とし）、近接２、近接３に移行するにしたがって、この距離をより大きくするようにすれば良い。
【００７３】
また、上記第２実施形態では、助手席者用の専用の操作画像部として、エアコンにおける温度設定用のコンテンツ６４としたが、これに限らず、その他にも、シートヒータの温度設定用のコンテンツとする、あるいは、シートポジションの位置設定用のコンテンツとする等の対応が可能である。
【００７４】
また、検出手段として静電容量式のタッチセンサ３１を用いたが、これに限定されるものではなく、他の感圧式のタッチセンサ等としても良い。
【００７５】
また、遠隔操作デバイス１００、１００Ａにプッシュスイッチを設けて、指操作によって選択した内容（アイコン等）を決定する際に、このプッシュスイッチを押込むことで、決定するようにしても良い。
【符号の説明】
【００７６】
１００、１００Ａ  遠隔操作デバイス（入力装置）
３１  タッチセンサ（検出手段）
３２  操作面
３３  操作制御部（制御部）
５２  液晶ディスプレイ（表示部）
６０  表示画像（画像）
６４  コンテンツ（操作画像部）
【図１】
2014203177.tif 000003
【図２】
2014203177.tif 000004
【図３】
2014203177.tif 000005
【図４】
2014203177.tif 000006
【図５】
2014203177.tif 000007
【図６】
2014203177.tif 000008
【図７】
2014203177.tif 000009
【図８】
2014203177.tif 000010
【図９】
2014203177.tif 000011
【図１０】
2014203177.tif 000012
【図１１】
2014203177.tif 000013